(57)【要約】      （修正有）【課題】間伐材などの木材を利用し、これらが簡易な接合構造で組み立てられ、加工コストが安価で環境保全に優しい木製防護体を提供する。【解決手段】複数の木製縦材１に対して、上下に複数段に渡って木製横材２を両者の接線断面で断面視ハの字状に打設される竹串４で接合する。含水率の高い状態では接線断面の膨潤が大きいので、竹串の打設が容易となり、乾燥時にはその断面の収縮が大きいので、がっちりと締り嵌め状態で竹串が両者を保持する。竹串の上端は、植物性の接着剤で被覆されるのが好ましい。木製横材２を砂地面１０ｃｍ下に埋設するように横架連結することにより、飛砂の侵入が少なく、苗木の活着率も良好となる。【選択図】図１
0003201899.tif 000002
【実用新案登録請求の範囲】
【請求項１】
複数の木製縦材と、該木製縦材間に複数段に渡って木製継手を介して交差部で横架される木製横材とから成る木製防護体において、
前記木製継手が、各交差部において断面視ハの字状で両者の接線断面に打設される一対の竹串から成ることを特徴とする木製防護体。
【請求項２】
前記木製縦材及び／又は前記木製横材に両者のつくる座標面に交差する鉛直方向で木製支持材が、各交差部で断面視ハの字状で両者の接線断面に打設される一対の竹串から成る木製継手で接合されることを特徴とする請求項１記載の木製防護体。
【請求項３】
前記木製継手の竹串の上端に、植物性の接着剤が被覆されて成ることを特徴とする請求項１又は２記載の木製防護体。
【請求項４】
前記木製横材が、砂地にＧＬより１０ｃｍ下に埋設されるように横架連結することを特徴とする請求項１記載の木製防護体。
【考案の詳細な説明】
【技術分野】
【０００１】
本考案は、間伐材などの木材を利用した防風垣や防風柵、道路の法面や山の造成斜面の緑化工法に利用される筋工などの防護技術に関する。
【背景技術】
【０００２】
従来、防護柵はローリング丸太加工した杭木に横丸太材を配置して、縦板材を所要間隔で釘の打設による構造や、隣接する支柱間に横架連結する横架材を備え、横架材や支柱に複数の防風柵用木材を配置する構造（特許文献１を参照）であったが、縦間隔の隙間から飛砂が侵入して背後の植栽成長に影響を及ぼしている状況にある。森林総研の研究データによると、鳥取砂丘地で移動調査したところ、ＧＬから６ｃｍ程度まで移動が激しいとの知見を得ている。その現状を考慮して、従来の縦板材を横に置き換えて、横板を１０ｃｍ砂地に埋設する施工を考慮する。
また、複数の木製支柱間に複数段に渡り木製ビームを配設した木製防護柵は、特開２０１４−２５２１８号公報（特許文献２を参照）に開示されているが、木製支柱と木製ビームとは金属製の継手を介して接合されるものであり、両者が経年変化で腐朽に至っても前記金属製継手は土にかえるものではなく、したがって、環境保全に優しいものでない上、加工コストも接合コストも嵩むなどで家庭用の防風垣や砂丘地での植林用の防風柵、このほか、斜面の緑化工法における筋工などには利用できない技術である。
従来からの木工技術として、ホゾとホゾ穴の結合やダボとダボ穴の結合により二つの部材を接合することなどは、建物や家具に採用されたものであるが、穴加工に手間を要する上、両者の穴の配設姿勢が限定されるなどの問題があった。
【先行技術文献】
【特許文献】
【０００３】
【特許文献１】特開平６−２２８９１８号公報（図２を参照）
【特許文献１】特開２０１４−２５２１８号公報
【考案の概要】
【考案が解決しようとする課題】
【０００４】
本考案は、間伐材などの木材を利用し、これらが簡易な接合構造で組み立てられ、加工コストが安価で環境保全に優しい木製防護体を提供することを目的とする。
【課題を解決するための手段】
【０００５】
本考案の木製防護体は、複数の木製縦材と、該木製縦材間に複数段に渡って木製継手を介して交差部で横架される木製横材とから成る木製防護体において、前記木製継手が、各交差部において断面視ハの字状で両者の接線断面に打設される一対の竹串から成る。
本考案の木製防護体は、上記の木製防護体において、木製縦材及び／又は木製横材に両者のつくる座標面に交差する鉛直方向で木製支持材が、各交差部で断面視ハの字状で両者の接線断面に打設される一対の竹串から成る木製継手で接合されて成る。
本考案の木製防護体は、前記の木製防護体において、前記木製継手の竹串の上端に、植物性の接着剤が被覆されて成る。
本考案の木製防護体は、前記の木製防護体において、前記木製横材を砂地にＧＬより１０ｃｍ下に埋設されるように横架連結する。
【考案の効果】
【０００６】
本考案の木製防護体によれば、間伐材などの木材資源の有効利用に加えて、木製縦材と木製横材との交差部やこれらと木製支持材との交差部において、両者の接線断面で断面視ハの字状（打設姿勢自在）に打設される一対の竹串による簡易な接合構造であるから、加工コストや接合コストが低コストである上、竹串の打設時の含水率の高い状態では接線断面の膨潤が最大であるから、その打設が容易であり、しかも、乾燥時には収縮が最大であるから、がっちりと締り嵌めの状態で竹串が両者を保持し、また、土にかえる接着剤によって、竹串の抜け止めと防腐が図られ、腐朽時には全てが土にかえるので、自然に優しい環境保全に寄与するなどの効果がある。
本考案の木製防護体は、従来の縦板材を横に置き換えて、前記木製横材を砂地にＧＬより１０ｃｍ下に埋設されるように横架連結するため、従来型の防風柵に比べて、飛砂の侵入が少なく、苗木の活着率も良好である。
【図面の簡単な説明】
【０００７】
【図１】本考案の防風垣の斜視図である。
【図２】木製縦材と木製横材との交差部の部分拡大縦断面図である。
【図３】本考案の防風垣の斜視図である。
【図４】木製縦材と木製横材との交差部の部分拡大縦断面図である。
【図５】本考案を利用した丸太筋工の平面図である。
【図６】図５のＰ矢視図である。
【考案を実施するための形態】
【０００８】
防風垣や防風柵として提供される木製防護体の木製縦材は、間伐材の樹皮が除去された丸太にして、その両端を小口面とするものから、一端部がくさび状に形成されるものなどであり、また、木製横材は間伐材の樹皮が除去された丸太やその半割材から接線断面を板面とする板材などであり、両者に打設される竹串は木製串が最良であり、このほか、空木（うつぎ）や樫などの木製串も選択され、その打設面は両者の接線断面であり、その配設方向は交差部において、木製縦材の軸心方向に沿うものであれば配設姿勢は自在である。
なお、竹串は相互に打ち込み側を狭小とするハの字状であれば、一対に限定されるものではなく、２本以上であってもよい。
【実施例】
【０００９】
本考案の木製防護体である防風垣Ａを一実施例により添付図面に基づいて以下に説明する。
図１の斜視図に示すように、所要間隔で配設される杉の間伐材で樹皮の除去された丸太による所要長さの２本の木製縦材１に対して、同様の丸太が半割された所要長さの木製横材２が上下に所要間隔で３段に接合される。
その接合は両者の交差部３において、図２の部分拡大縦断面図に示すように、含水率の高い木製横材２の外周円弧面から同様に含水率の高い木製縦材１の軸心方向に沿って、その外周円弧面より内部所要深さに渡り断面視ハの字状に木製串としての竹串４が図外の釘打機によって打設嵌入されて成る。なお、竹は弾力に富み繊維方向の強度が大であるから、竹串４は繊維に沿って成形される。
前記木製縦材１と前記木製横材２をその交差部３で接合する木製継手は、両者の接線断面に打ち込み嵌入される一対の竹串４から成るものである。
したがって、前記竹串４は、両者の接線断面に打設されるものであるから、含水率の高い状態では接線断面の膨潤が最大であるから、竹串４の打設が容易となり、乾燥時にはその断面の収縮が最大であるから、がっちりと締り嵌め状態で竹串４が両者を保持し、しかも、竹串４の上端には植物性の接着剤５が被覆されるから、竹串４の抜け止めと防腐が図られ、接合の信頼性がより高いものと成る。また、長年の経時変化による腐朽に至っては全てが土にかえることとなり、自然に優しい環境保全にも資するものである。
【００１０】
次に、図３の斜視図に示す本考案の木製防護体である防風垣Ｂを説明すると、所要間隔で配設される２本の木製縦材１は間伐材の樹皮が除去された丸太で、この木製縦材１に対して、同様に間伐材の樹皮が除去された丸太から製材された板材から成る所要肉厚、所要長さの木製横材６が上下に所要間隔で３段に接合される。
前記木製縦材１と前記木製横材６の接合は、図４の部分拡大縦断面図に示すように、両者の交差部３における接線断面で図外の釘打機によって、断面視ハの字状に打設される一対の竹串４から成る木製継手でなされ、前記と同様に該竹串４の上端には植物性の接着剤５が被覆される。
【００１１】
このようにして成る本考案の防風垣Ａ、Ｂは、木製縦材１が地面に立設されて公園や個人の家庭の庭木の防護に使用されたり、前記木製横材２を砂地にＧＬより１０ｃｍ下に埋設されるように横架連結するため、葦囲いを併用した防風柵として砂丘地の植林などにも利用される。
【００１２】
次に、図５の平面図、図６の図５Ｐ矢視図に示す山の造成斜面の緑化工法に使用される丸太筋工７について説明する。
このものは、木製縦材１と木製横材８をそれぞれ所要長さの間伐材の樹皮が除去された丸太として、各交差部３を木製継手で接合して格子状の木製枠体９を形成し、前記木製横材８の所要位置に前記木製枠体９のつくる座標面に交差する鉛直方向で、間伐材の樹皮が除去された丸太の木製支持材１０を竹串４で接合したものであり、山の造成斜面に敷設した種子付ネット１１による伏工１２と組み合わされて施工される。
したがって、この丸太筋工７の木製縦材１と木製横材８とから成る筋と筋の間に樹木の苗木が植栽されて斜面の緑化が施される。  
なお、図５、図６で示したものは、木製横材８に木製支持材１０を三次元方向に接合したものであるが、木製縦材１においても、同様の方向で木製支持材１０を接合したり、或いは両者にそれぞれ木製支持材１０を接合することもある。
【００１３】
このように本考案は、間伐材を有効に活用するとともに、木材物理による木材の特性を利用した簡易な接合構造で防風垣の低コスト化を達成し、かつ、経年変化による腐朽に至っては、全てが土にかえる自然に優しい環境保全に資するなど極めて有益である。
【産業上の利用可能性】
【００１４】
本考案は、林業における間伐材の利用促進に資するとともに、防風垣や防風柵として建築業や木工業を活性化し、法面や斜面の緑化においては、土木建設業の活性化にも資するものである。
【符号の説明】
【００１５】
１  木製縦材
２  木製横材
３  交差部
４  竹串
５  接着剤
６  木製横材
７  丸太筋工
８  木製横材
９  木製枠体
１０  木製支持材
１１  種子付ネット
１２  伏工
Ａ、Ｂ            
【図１】
0003201899.tif 000003
【図２】
0003201899.tif 000004
【図３】
0003201899.tif 000005
【図４】
0003201899.tif 000006
【図５】
0003201899.tif 000007
【図６】
0003201899.tif 000008